(57)【要約】【課題】ユーザが、無線機能のみがＯＦＦになり時計、カレンダー、スケジュール機能等は利用できるモードの設定および解除を、容易に行うことができる携帯型移動通信端末及びその制御方法を提供する。【解決手段】携帯電話機１は、基地局と無線で接続するための無線部３と、ダイヤル情報や機能設定を入力するための操作部５と、入力されたダイヤル情報・機能設定や時計、カレンダー、スケジュール等を表示するための表示部４と、無線部３と、操作部５と、表示部４とにおける所定の処理を制御し、無線部３の機能のみをＯＦＦ状態にすることができる制御部２と、ＯＦＦ状態を解除するまでの時間を記憶し、計時するタイマー部６とを有する。制御部２は、タイマー部６が計時を終了し、解除時間になったことを検出すると、自動的に無線部３の電源をＯＮ状態にしてＯＦＦ状態を解除する。【選択図】        図１
2004172880.tif 000002
【特許請求の範囲】
【請求項１】
携帯型移動通信端末の基地局と無線で接続する無線手段と、
ダイヤル情報及び／または機能設定を入力するための操作手段と、
前記入力された前記ダイヤル情報及び／または前記機能設定の状態を表示する表示手段と、
前記無線手段と、前記操作手段と、前記表示手段との所定の処理を制御する制御手段と、
を有する携帯型移動通信端末であって、
前記制御手段は、
前記無線手段の機能のみをＯＦＦ状態とし、
該ＯＦＦ状態を指定時間後に自動的に解除することを特徴とする携帯型移動通信端末。
【請求項２】
前記ＯＦＦ状態を解除するまでの時間を記憶し、計時するタイマー手段をさらに有し、
前記制御手段は、
前記タイマー手段が前記計時を終了し、解除時間になったことを検出すると、自動的に前記無線手段の電源をＯＮ状態にして前記ＯＦＦ状態の解除を行うことを特徴とする請求項１記載の携帯型移動通信端末。
【請求項３】
前記表示手段は、
時計、カレンダー、スケジュール情報から選択される少なくとも１つの情報を表示することを特徴とする請求項１または２記載の携帯型移動通信端末。
【請求項４】
携帯型移動通信端末の基地局と無線で接続する工程と、
ダイヤル情報や機能設定を入力する工程と、
前記入力された前記ダイヤル情報や前記機能設定の状態を表示する工程と、
を制御する携帯型移動通信端末の制御方法であって、
該制御方法は、
前記無線接続の工程のみをＯＦＦ状態とし、
該ＯＦＦ状態を指定時間後に自動的に解除することを特徴とする携帯型移動通信端末の制御方法。
【請求項５】
前記ＯＦＦ状態を解除するまでの時間を計時し、
解除時間になったことを検出すると、
自動的に前記無線手段の電源をＯＮ状態にして前記ＯＦＦ状態の解除を行うことを特徴とする請求項４記載の携帯型移動通信端末の制御方法。
【請求項６】
前記表示する工程は、
時計、カレンダー、スケジュール情報から選択される少なくとも１つの情報を表示することを特徴とする請求項４または５記載の携帯型移動通信端末の制御方法。
【発明の詳細な説明】
【０００１】
【発明の属する技術分野】
本発明は、携帯型移動通信端末及びその制御方法に関し、特にマナーモード機能付の携帯電話機及びその制御方法に関する。
【０００２】
【従来の技術】
携帯電話やＰＨＳなどの携帯型移動通信端末は、着信音などで周りにいる人々に迷惑を与えないようにするために、着信音が鳴動せずバイブレーションにより着信を知らせるマナーモード機能を備えているのが通常である。そして、かかるマナーモードの設定と解除とを簡易に行える技術はすでに開示されている（特許文献１参照）。
【０００３】
しかし、近年は、携帯型移動通信端末の着信音を鳴動させないようにすることにとどまらず、その電源そのものをＯＦＦにしなければならない場所が増えてきている。例えば、病院などに携帯電話等を持ち込んだ場合、電波により医療機器へ悪影響を与えるという問題があるからである。
【０００４】
その際、例えば、携帯電話機の電源を完全にＯＦＦにすると、携帯電話基地局との無線通信が絶たれるにとどまらず、携帯電話機の機能としての時計、カレンダー、スケジュール等までも利用できなくなるので、使用者にとっては、非常に不便である。
【０００５】
そこで、このような不便を回避するために、無線部の機能だけをＯＦＦにし、時計、カレンダー、スケジュール等は確認できるモード（以下、無線部機能ＯＦＦ専用モードという）を設けている携帯型移動通信端末が登場した。
【０００６】
かかる技術の１つとして、スケジュール機能を用いて、開始／終了時間を入力することでマナーモード設定（無線部機能ＯＦＦ専用モードの含む）を行うシステムがある（例えば、特許文献２参照）。
【０００７】
また、使用者による電源ＯＦＦの操作に対して、無線部のみ電源をＯＦＦすることにより、通信機能が利用できない場合でも表示部に時計・カレンダー情報を表示させることができる携帯電話機もある（例えば、特許文献３参照）。この携帯電話機によると、無線部電源ＯＦＦのときにスケジュールを表示したり、Ｅメールを編集することもできる。
【０００８】
さらには、通信機能をロックする際に入力された通信機能のロック解除用の暗証番号を記憶し、通信機能のロックを解除する際に入力された暗証番号が記憶された暗証番号と一致した場合に通信機能のロックを解除するという機能を備えた無線通信端末装置もある（特許文献４参照）。
【０００９】
【特許文献１】
特開２００１−１２７８３８号公報
【特許文献２】
特開２００１−２２４０７５号公報
【特許文献３】
特開２００１−３２６７０１号公報
【特許文献４】
特開２００２−１０１１８８号公報
【００１０】
【発明が解決しようとする課題】
しかし、特許文献３には、無線部電源ＯＦＦの設定をしなおしたり、強制的に解除する技術は記載されていない。また、特許文献４記載の発明によると、暗証番号の入力がないと通信機能のロック解除がなされない。
【００１１】
すなわち、特許文献３、特許文献４の携帯電話機等には、無線部機能ＯＦＦ専用モードを自動的に解除する機能はない。よって、使用者は携帯電話機の電源をＯＮにできる場所で、再度無線部機能ＯＦＦ専用モードを解除設定しなければならず、煩わしいという問題がある。
【００１２】
このような操作の煩わしさを省き、無線部機能ＯＦＦ専用モードを使用者にとってより実用的な機能とするためには、無線部機能ＯＦＦ専用モードの自動解除機能が付いていることが望ましい。
【００１３】
また、特許文献２記載のシステムによれば、マナーモード（無線部機能ＯＦＦ専用モード）を設定するための開始時間を入力しない限り、機能自体が設定されない。すなわち、このシステムによると、無線部機能ＯＦＦ専用モードの自動解除をするためには、「スケジュール機能を用い、開始時間を入力する」という煩わしい操作が伴う。
【００１４】
このような煩わしい操作を回避するためには、無線部機能ＯＦＦ専用モードにダイレクトに入り、その場で本モードの解除時刻を設定することで、自動的に無線部の電源をＯＮにし、通常のモードに戻れたほうが、簡易かつ効果的といえる。
【００１５】
そこで、本発明は、無線部機能ＯＦＦ専用モードにダイレクトに入り、その場で本モードの解除時刻を設定することで、自動的に無線部の電源をＯＮにし、通常のモードに戻れるようにすることにより、使用者が、無線部機能ＯＦＦ専用モードの設定および解除を、容易に行うことができる携帯型移動通信端末及びその制御方法を提供することを目的とする。
【００１６】
【課題を解決するための手段】
上記の目的を達成するために、請求項１記載の発明によれば、携帯型移動通信端末は、携帯型移動通信端末の基地局と無線で接続する無線手段と、ダイヤル情報及び／または機能設定を入力するための操作手段と、入力されたダイヤル情報及び／または機能設定の状態を表示する表示手段と、無線手段と、操作手段と、表示手段との所定の処理を制御する制御手段とを有し、制御手段は、無線手段の機能のみをＯＦＦ状態とし、ＯＦＦ状態を指定時間後に自動的に解除することを特徴とするものである。
【００１７】
請求項２記載の発明によれば、携帯型移動通信端末は、ＯＦＦ状態を解除するまでの時間を記憶し、計時するタイマー手段をさらに有し、制御手段は、タイマー手段が計時を終了し、解除時間になったことを検出すると、自動的に無線手段の電源をＯＮ状態にしてＯＦＦ状態の解除を行うことを特徴とするものである。
【００１８】
請求項３記載の発明によれば、携帯型移動通信端末は、表示手段は、時計、カレンダー、スケジュール情報から選択される少なくとも１つの情報を表示する請求項１または２記載の携帯型移動通信端末であることを特徴とするものである。
【００１９】
請求項４記載の発明によれば、携帯型移動通信端末の制御方法は、携帯型移動通信端末の基地局と無線で接続する工程と、ダイヤル情報や機能設定を入力する工程と、入力されたダイヤル情報や機能設定の状態を表示する工程と、を制御する携帯型移動通信端末の制御方法であって、制御方法は、無線接続の工程のみをＯＦＦ状態とし、ＯＦＦ状態を指定時間後に自動的に解除することを特徴とするものである。
【００２０】
請求項５記載の発明によれば、携帯型移動通信端末の制御方法は、ＯＦＦ状態を解除するまでの時間を計時し、解除時間になったことを検出すると、自動的に無線手段の電源をＯＮ状態にしてＯＦＦ状態の解除を行う請求項４記載の携帯型移動通信端末の制御方法であることを特徴とするものである。
【００２１】
請求項６記載の発明によれば、携帯型移動通信端末の制御方法は、表示する工程は、時計、カレンダー、スケジュール情報から選択される少なくとも１つの情報を表示する請求項４または５記載の携帯型移動通信端末の制御方法であることを特徴とするものである。
【００２２】
【発明の実施の形態】
添付図面を参照して、本発明による携帯型移動通信端末及びその制御方法の実施の形態を以下詳細に説明する。
【００２３】
本発明は、携帯ユーザの実使用シーンを考慮し、無線部機能ＯＦＦ専用モードにダイレクトに入り、その場で本モードの解除時刻を設定することで、自動的に無線部の電源をＯＮにし、通常のモードに戻るという、簡易かつ効果的な機能であることを狙っている。
【００２４】
本発明の特徴は、携帯電話機またはＰＨＳの無線部の機能のみをＯＦＦとし、制御部が動作しているモード（無線部機能ＯＦＦ専用モード）から、制御部がタイマー部での計時を終了し解除時間になったことを検出すると、自動的に無線部の電源をＯＮにし、通常のモードに戻ることのできる機能を提供することにある。
【００２５】
まず、図１を用いて、本発明による携帯型移動通信端末及びその制御方法の一実施形態の構成について説明する。
【００２６】
図１には、本実施形態における携帯電話機の構成を示すブロック図が示されている。
【００２７】
図１において、携帯電話機１は、制御部２と、無線部３と、表示部４と、操作部５と、タイマー部６と、から構成される。
【００２８】
制御部２は、無線部３、操作部５、表示部４、タイマー部６の処理を制御する。時計、カレンダー、スケジュール情報等の処理、制御も行われる。
また、制御部２は、無線部３の機能のみをＯＦＦ状態とすることができる。
さらに、制御部２は、無線部３の機能のみをＯＦＦ状態とした場合、タイマー部６が計時を終了し、解除時間になったことを検出すると、自動的に無線部３の電源をＯＮ状態にしてＯＦＦ状態の解除を行う。
【００２９】
無線部３は、携帯電話基地局（携帯型移動通信端末の基地局）と無線接続する。また、無線部機能ＯＦＦ専用モードが設定されると、無線部３の機能のみがＯＦＦ状態となる。
【００３０】
表示部４は、入力情報や各種設定状態を表示する。後述のように、制御部２の制御により、無線部機能ＯＦＦ専用モードに関する情報が表示部４に表示される。例えば、無線部機能ＯＦＦ専用モードを設定するための設定画面や無線部機能ＯＦＦ専用モードの解除時間入力画面もここで表示される。
また、表示部４は、時計、カレンダー、スケジュール情報等を表示する。これらの表示は、無線部機能ＯＦＦ専用モードが設定されても、基本的には変わらない。
【００３１】
操作部５は、ダイヤル情報や機能設定等を入力する。無線部機能ＯＦＦ専用モードが設定も後述のように操作部５を通じて行われる。
【００３２】
タイマー部６は、無線部機能ＯＦＦ専用モードを解除するまでの時間を記憶し、計時する。タイマー部６が計時を終了し、解除時間になると、制御部２がこれを検出し、自動的に無線部３の電源をＯＮ状態にする。
【００３３】
以上、要するに、携帯電話機１においては、無線部３の機能のみがＯＦＦとなり、制御部２その他が動作しているモード（無線部機能ＯＦＦ専用モード）を設定することができる、そして、この場合、制御部２は、タイマー部６による計時が終了し解除時間になったことを検出すると、無線部３の電源をＯＮにする。よって、無線部機能ＯＦＦ専用モードから通常のモードに自動的に戻る。
【００３４】
このように、携帯電話機１において無線部機能ＯＦＦ専用モードに設定した場合でも、制御部がタイマー部での計時が終了し解除  時間になったことを検出すると、自動的に無線部の機能をＯＮにし、通常のモードに戻る。
よって、携帯電話機１の無線部機能をＯＦＦにしなければならない場所において、使用者は無線部機能ＯＦＦ専用モードに設定する際、無線部機能を再度ＯＮにすることのできる場所までの時刻を想定／確認し、無線部機能ＯＦＦ専用モード解除時刻を入力／設定することで、無線部機能を再度ＯＮにすることのできる場所にて、無線部機能ＯＦＦ専用モードを解除する操作を行うことなく、無線部機能ＯＦＦ専用モードを自動的に解除することができる。
【００３５】
なお、本実施形態における携帯電話機の代わりに、ＰＨＳ等の他の携帯型移動通信端末を用いても、同様の構成で同様の効果を得られる。よって、本発明は、いわゆる携帯電話に限定されるものではなく、ＰＨＳ等を含めた携帯型移動通信端末一般に適用される。
【００３６】
次に、図２を用いて、本発明による携帯型移動通信端末及びその制御方法の一実施形態の動作について説明する。
【００３７】
図２には、図１で説明した携帯電話機１における本実施形態の動作を示すフローチャートが示されている。
【００３８】
携帯電話機１が通常のモードから、無線部３の機能のみをＯＦＦとし、制御部２その他は動作しているモード（無線部機能ＯＦＦ専用モード）を設定するために、本専用モード設定画面に遷移したことを表示部４にて確認する（ステップＳ１）。
【００３９】
操作部５からの決定キー入力により、制御部２は無線部機能ＯＦＦ情報を検出する（ステップＳ２）。すなわち、ステップＳ２において、利用者が、操作部５からキー入力により無線部機能ＯＦＦ専用モードのＯＮを指示すると、制御部２は、無線部機能ＯＦＦ専用モードのＯＮを認識する。
【００４０】
制御部２が本情報を検出すると、無線部３の機能のみをＯＦＦにする（ステップＳ３）。すなわち、制御部２は、無線部機能ＯＦＦ専用モードのＯＮを認識すると（ステップＳ２でＹｅｓ）、ステップＳ３において、無線部３の機能のみがＯＦＦになるように制御する。
このとき、携帯電話基地局（携帯型移動通信端末の基地局）との無線通信は行われなくなる。
【００４１】
そして、無線部機能ＯＦＦ情報を検出した後、無線部機能ＯＦＦ専用モードを指定時間後に解除するための時間の入力画面（解除時間入力画面）に遷移したことを表示部４にて確認する（ステップＳ４）。すなわち、ステップＳ４において、利用者は、無線部機能ＯＦＦ専用モードを設定する際に、その解除時間も入力する。
【００４２】
操作部５からの解除時間入力により、制御部２は無線部機能ＯＦＦ専用モード解除時間情報を検出する（ステップＳ５）。すなわち、ステップＳ５において、利用者が、操作部５からのキー入力により無線部機能ＯＦＦ専用モード解除時間を入力すると、制御部２は無線部機能ＯＦＦ専用モードが解除される時間を認識する。
【００４３】
制御部２が本情報を検出すると、タイマー部６にて解除時間を記憶し、計時を開始し、同時に制御部２は無線部機能ＯＦＦ専用モードを表示部４に表示する（ステップＳ６）。すなわち、制御部２が無線部機能ＯＦＦ専用モードが解除される時間を検出すると（ステップＳ５でＹｅｓ）、その解除時間はタイマー部６に記憶され、ステップＳ６において、タイマー部６が計時を開始する。また、制御部２の制御により、無線部機能ＯＦＦ専用モードに関する情報が表示部４に表示される。
【００４４】
タイマー部６での計時が終了すると、制御部２は解除時間になったことを検出し（ステップＳ７）、無線部３の機能をＯＮにする（ステップＳ８）。すなわち、タイマー部６での計時が終了すると、制御部２は、ステップＳ７において、解除時間になったことを検出し、ステップＳ８において、無線部３の機能をＯＮにする。
このとき、携帯電話基地局との無線通信は再開される。
【００４５】
さらに、無線部機能ＯＦＦ専用モードを表示部４から消去し（ステップＳ９）、通常のモードに戻る（ステップＳ１０）。すなわち、ステップＳ９において、無線部機能ＯＦＦ専用モードに関する情報は表示部４から消去され、ステップＳ１０において、通常のモードに戻る。
【００４６】
このように、携帯電話機を、無線部機能ＯＦＦ専用モードに設定した場合でも、制御部がタイマー部での計時が終了し解除  時間になったことを検出すると、自動的に無線部の機能をＯＮにし、通常のモードに戻る。
よって、携帯電話機の無線部機能をＯＦＦにしなければならない場所において、使用者は無線部機能ＯＦＦ専用モードに設定する際、無線部機能を再度ＯＮにすることのできる場所までの時刻を想定／確認し、無線部機能ＯＦＦ専用モード解除時刻を入力／設定することで、無線部機能を再度ＯＮにすることのできる場所にて、無線部機能ＯＦＦ専用モードを解除する操作を行うことなく、無線部機能ＯＦＦ専用モードを自動的に解除することができる。
【００４７】
なお、本実施形態における携帯電話機の代わりに、ＰＨＳ等の他の携帯型移動通信端末を用いても、同様の構成で同様の効果を得られる。よって、本発明は、いわゆる携帯電話に限定されるものではなく、ＰＨＳ等を含めた携帯型移動通信端末一般に適用される。
【００４８】
【発明の効果】
本発明によれば、携帯型移動通信端末を無線部機能ＯＦＦ専用モードに設定した場合でも、制御部がタイマー部での計時が終了し解除時間になったことを検出すると、自動的に無線部の機能をＯＮにし、通常のモードに戻ることが可能となる。
【００４９】
したがって、携帯型移動通信端末の無線部機能をＯＦＦにしなければならない場所において、使用者は無線部機能ＯＦＦ専用モードに設定する際、無線部機能を再度ＯＮにすることのできる場所までの時刻を想定、確認し、無線部機能ＯＦＦ専用モード解除時刻を入力・設定することで、無線部機能を再度ＯＮにすることのできる場所にて、無線部機能ＯＦＦ専用モードを解除する操作を行うことなく、無線部機能ＯＦＦ専用モードを自動的に解除することができる。
【図面の簡単な説明】
【図１】本発明による携帯電話機及びその制御方法の一実施形態の構成を示すブロック図である。
【図２】本発明による携帯電話機及びその制御方法の一実施形態の動作を説明するためのフローチャートである。
【符号の説明】
１  携帯電話機
２  制御部
３  無線部
４  表示部
５  操作部
６  タイマー部
【図１】
2004172880.tif 000003
【図２】
2004172880.tif 000004